(57)【要約】【課題】  記録磁界の磁界分布を改善することが可能な垂直記録ヘッドを提供する。【解決手段】  主磁極１４のうちの記録磁極１３を四方から囲むようにリーディングシールド１５、トレーリングシールド２１および一対のサイドシールド２２が配置されていると共に、その記録磁極１３のリーディングエッジ１４ＥＬにテーパＰが設けられている。リーディングシールド１５、トレーリングシールド２１および一対のサイドシールド２２のそれぞれのシールド機能に基づいて、記録磁界の磁界勾配が確保されると共に隣接トラック消去の発生が抑制される。また、記録磁極１３に設けられたテーパＰに基づいて、オーバーライト能力が確保される。【選択図】  図１
2005310363.tif 000002
【特許請求の範囲】
【請求項１】
エアベアリング面と、そのエアベアリング面から離れる方向において所定の長さに渡って延在すると共に第１の幅を有する記録磁極と、その記録磁極のリーディング側に配置されたリーディングシールドと、第２の幅を有するリターン磁極と、を備えた垂直記録ヘッドにおいて生じるフリンジ磁界を減少させる方法であって、
前記エアベアリング面から離れる方向において次第に厚さが大きくなるように、前記記録磁極にテーパを設けるステップと、
前記記録磁極からトレーリング側に第１の距離だけ離れた位置に、前記エアベアリング面と同一面内に位置する底面を有すると共に前記記録磁極に対して左右対象に位置合わせされるように、トレーリングシールドを配置させるステップと、
前記記録磁極のうちの２つの側面から側方にそれぞれ第２の距離だけ離れた位置に、前記エアベリング面と同一面内に位置する底面を有すると共に前記トレーリングシールドに磁気的に連結され、かつ前記第２の幅に等しい幅を介して互いに離間された２つの側面を有すると共にそれぞれが前記記録磁極の長さよりも大きな幅を有するように、一対のサイドシールドを配置させるステップと、を含む
ことを特徴とする垂直記録ヘッドのフリンジ磁界の減少方法。
【請求項２】
さらに、
前記一対のサイドシールドを、前記リターン磁極に前記リーディングシールドを介して磁気的に連結させるステップを含む
ことを特徴とする請求項１記載の垂直記録ヘッドのフリンジ磁界の減少方法。
【請求項３】
前記エアベアリング面における前記記録磁極の前記第１の幅を、０．０５μｍ以上０．４μｍ以下の範囲内とする
ことを特徴とする請求項１記載の垂直記録ヘッドのフリンジ磁界の減少方法。
【請求項４】
前記リターン磁極の前記第２の幅を、１０μｍ以上５０μｍ以下の範囲内とする
ことを特徴とする請求項１記載の垂直記録ヘッドのフリンジ磁界の減少方法。
【請求項５】
前記記録磁極と前記トレーリングシールドとの間の前記第１の距離を、０．０２μｍ以上０．２μｍ以下の範囲内とする
ことを特徴とする請求項１記載の垂直記録ヘッドのフリンジ磁界の減少方法。
【請求項６】
前記トレーリングシールドの厚さを、０．０５μｍ以上０．４μｍ以下の範囲内とする
ことを特徴とする請求項１記載の垂直記録ヘッドのフリンジ磁界の減少方法。
【請求項７】
前記記録磁極に設けた前記テーパの垂直線に対する角度を、１５°以上６５°以下の範囲内とする
ことを特徴とする請求項１記載の垂直記録ヘッドのフリンジ磁界の減少方法。
【請求項８】
前記記録磁極のトレーリングエッジに、前記テーパを設ける
ことを特徴とする請求項１記載の垂直記録ヘッドのフリンジ磁界の減少方法。
【請求項９】
前記記録磁極のリーディングエッジに、前記テーパを設ける
ことを特徴とする請求項１記載の垂直記録ヘッドのフリンジ磁界の減少方法。
【請求項１０】
前記一対のサイドシールドのうちの各サイドシールドの幅を、０．２μｍ以上５μｍ以下の範囲内とする
ことを特徴とする請求項１記載の垂直記録ヘッドのフリンジ磁界の減少方法。
【請求項１１】
前記一対のサイドシールドと前記記録磁極との間の前記第２の距離を、０．０２μｍ以上０．２μｍ以下の範囲内とする
ことを特徴とする請求項１記載の垂直記録ヘッドのフリンジ磁界の減少方法。
【請求項１２】
前記一対のサイドシールドと前記リーディングシールドとの間の距離を、０．０５μｍ以上５μｍ以下の範囲内とする
ことを特徴とする請求項１記載の垂直記録ヘッドのフリンジ磁界の減少方法。
【請求項１３】
前記一対のサイドシールドのうちの各サイドシールドの厚さを、０．０５μｍ以上０．４μｍ以下の範囲内とする
ことを特徴とする請求項１記載の垂直記録ヘッドのフリンジ磁界の減少方法。
【請求項１４】
前記リターン磁極の厚さを、０．５μｍ以上５μｍ以下の範囲内とする
ことを特徴とする請求項１記載の垂直記録ヘッドのフリンジ磁界の減少方法。
【請求項１５】
前記記録磁極の長さを、０．１μｍ以上０．５μｍ以下の範囲内とする
ことを特徴とする請求項１記載の垂直記録ヘッドのフリンジ磁界の減少方法。
【請求項１６】
前記一対のサイドシールドのうちの各サイドシールドの幅と前記記録磁極の長さとの間の差異を、０．２μｍに至るようにする
ことを特徴とする請求項１記載の垂直記録ヘッドのフリンジ磁界の減少方法。
【請求項１７】
エアベアリング面と、そのエアベリング面から離れる方向において所定の長さに渡って延在すると共に第１の幅を有し、かつ前記エアベアリング面から離れる方向において次第に厚さが大きくなるようにテーパが設けられた記録磁極と、その記録磁極のリーディング側に配置されたリーディングシールドと、第２の幅を有するリターン磁極と、を備えた垂直記録ヘッドに適用されるシールドであって、
前記記録磁極からトレーリング側に第１の距離だけ離れた位置に配置され、その記録磁極に対して左右対称に位置合わせされると共に前記エアベアリング面と同一面内に位置する底面を有するトレーリングシールドと、
前記記録磁極のうちの２つの側面から側方にそれぞれ第２の距離だけ離れた位置に配置され、前記エアベアリング面と同一面内に位置する底面を有すると共に前記トレーリングシールドに磁気的に連結され、かつ前記第２の幅に等しい幅を介して互いに離間された２つの側面を有すると共にそれぞれが前記記録磁極の長さよりも大きな幅を有する一対のサイドシールドと、を含む
ことを特徴とするシールド。
【請求項１８】
前記一対のサイドシールドが、前記リターン磁極に前記リーディングシールドを介して磁気的に連結されている
ことを特徴とする請求項１７記載のシールド。
【請求項１９】
前記エアベアリング面における前記記録磁極の前記第１の幅が、０．０５μｍ以上０．４μｍ以下の範囲内である
ことを特徴とする請求項１７記載のシールド。
【請求項２０】
前記リターン磁極の前記第２の幅が、１０μｍ以上５０μｍ以下の範囲内である
ことを特徴とする請求項１７記載のシールド。
【請求項２１】
前記記録磁極と前記トレーリングシールドとの間の前記第１の距離が、０．０２μｍ以上０．２μｍ以下の範囲内である
ことを特徴とする請求項１７記載のシールド。
【請求項２２】
前記トレーリングシールドの厚さが、０．０５μｍ以上０．４μｍ以下の範囲内である
ことを特徴とする請求項１７記載のシールド。
【請求項２３】
前記記録磁極に設けられた前記テーパの垂直線に対する角度が、１５°以上６５°以下の範囲内である
ことを特徴とする請求項１７記載のシールド。
【請求項２４】
前記記録磁極のトレーリングエッジに、前記テーパが設けられている
ことを特徴とする請求項１７記載のシールド。
【請求項２５】
前記記録磁極のリーディングエッジに、前記テーパが設けられている
ことを特徴とする請求項１７記載のシールド。
【請求項２６】
前記一対のサイドシールドのうちの各サイドシールドの幅が、０．２μｍ以上５μｍ以下の範囲内である
ことを特徴とする請求項１７記載のシールド。
【請求項２７】
前記一対のサイドシールドと前記記録磁極との間の前記第２の距離が、０．０２μｍ以上０．２μｍ以下の範囲内である
ことを特徴とする請求項１７記載のシールド。
【請求項２８】
前記一対のサイドシールドと前記リーディングシールドとの間の距離が、０．０５μｍ以上５μｍ以下の範囲内である
ことを特徴とする請求項１７記載のシールド。
【請求項２９】
前記一対のサイドシールドのうちの各サイドシールドの厚さが、０．０５μｍ以上０．４μｍ以下の範囲内である
ことを特徴とする請求項１７記載のシールド。
【請求項３０】
前記リターン磁極の厚さが、０．５μｍ以上５μｍ以下の範囲内である
ことを特徴とする請求項１７記載のシールド。
【請求項３１】
前記記録磁極の長さが、０．１μｍ以上０．５μｍ以下の範囲内である
ことを特徴とする請求項１７記載のシールド。
【請求項３２】
前記一対のサイドシールドのうちの各サイドシールドの幅と前記記録磁極の長さとの間の差異が、０．２μｍに至っている
ことを特徴とする請求項１７記載のシールド。
【請求項３３】
エアベアリング面と、
そのエアベリング面から離れる方向において所定の長さに渡って延在すると共に第１の幅を有し、かつ前記エアベアリング面から離れる方向において次第に厚さが大きくなるようにテーパが設けられた記録磁極と、
その記録磁極のリーディング側に配置されたリーディングシールドと、
第２の幅を有するリターン磁極と、
前記記録磁極からトレーリング側に第１の距離だけ離れた位置に配置され、その記録磁極に対して左右対称に位置合わせされると共に前記エアベアリング面と同一面内に位置する底面を有するトレーリングシールドと、
前記記録磁極のうちの２つの側面から側方にそれぞれ第２の距離だけ離れた位置に配置され、前記エアベアリング面と同一面内に位置する底面を有すると共に前記トレーリングシールドに磁気的に連結され、かつ前記第２の幅に等しい幅を介して互いに離間された２つの側面を有すると共にそれぞれが前記記録磁極の長さよりも大きな幅を有する一対のサイドシールドと、を備えた
ことを特徴とする垂直記録ヘッド。
【発明の詳細な説明】
【技術分野】
【０００１】
本発明は、垂直記録ヘッドにおいて生じるフリンジ磁界を減少させる垂直記録ヘッドのフリンジ磁界の減少方法、垂直記録ヘッドに適用されるシールド、ならびにシールドを備えた垂直記録ヘッドに関する。
【背景技術】
【０００２】
垂直記録方式の磁気記録処理として、磁気的な軟下地層（ＳＵＬ；soft underlayer ）を利用して記録処理を実行する態様、より具体的には単磁極（ＳＰ；single-pole ）を使用して軟下地層を含む記録メディアに記録処理を施す態様が知られている。この種の磁気記録処理では、高異方性定数を有する厚い記録メディアに情報を記録する際に、リングヘッドを使用する場合よりも大きな記録磁界を発生させることが可能な点において利点が得られる。これにより、記録メディアの磁化状態が熱的に安定化するため、その記録メディアに記録された情報が安定に維持される。上記した単磁極を備えた垂直記録ヘッドは、一般に、「単磁極型の垂直記録ヘッド」と呼ばれている。
【０００３】
図９は、従来の単磁極型の垂直記録ヘッドの構成を模式的に表しており、特に、ＹＺ面に沿った断面構成を示している。この単磁極型の垂直記録ヘッドは、図９に示したように、記録メディア１２０に情報を磁気的に記録するものであり、エアベアリング面（ＡＢＳ；air bearing surface ）１１９から後方（記録メディア１２０から離れる方向）に向かって延在するリターン磁極１１１と、そのリターン磁極１１１に対向しながらエアベアリング面１１９から後方に向かって延在する主磁極１１４と、後方においてリターン磁極１１１と主磁極１１４との間を磁気的に連結させるヨーク１１６と、そのヨーク１１６を中心としてスパイラル状に巻回され、記録用の磁束を発生させるコイル１１２と、リターン磁極１１１、主磁極１１４およびヨーク１１６により囲まれた空間に埋設された絶縁層１１７とを備えている。この主磁極１１４は、前方（エアベアリング面１１９に近い側の端部）に、単磁極としての記録磁極１１３を含んでいる。なお、図９では詳細に示していないが、記録メディア１２０は、磁気的な軟下地層上に、高保持力を有する記録層が設けられた積層構造を含んでいる。
【０００４】
この単磁極型の垂直記録ヘッドでは、主磁極１１４のうちの記録磁極１１３から記録用の磁束が放出されると、その記録用の磁束が記録メディア１２０のうちの軟下地層を経由してリターン磁極１１１に環流されるため、その垂直記録ヘッドと記録メディア１２０との間において磁気回路が構築される。この際、記録用の磁束に基づいて発生した磁界（記録磁界）により記録メディア１２０のうちの記録層が磁化される（ビットが記録される）ため、その記録メディア１２０に情報が磁気的に記録される。
【０００５】
軟下地層を含む記録メディア１２０に情報を磁気的に記録する単磁極型の垂直記録ヘッドは、重大な２つの問題を抱えている。第１の問題は、ダウントラック方向における記録磁界の磁界勾配が不十分なことであり、第２の問題は、フリンジ磁界（いわゆるサイドフリンジ磁界）に起因して隣接トラック消去（ＡＴＥ；adjacent track erace）が生じやすいことである。特に、第２の問題は、記録磁界、すなわち情報を磁気的に上書き（いわゆるオーバーライト（ＯＷ；overwrite ））する能力を向上させるために記録磁極１１３の長さ（いわゆるネックハイト）を短くすると、顕著になる。
【０００６】
これらの２つの問題を解決し、すなわち記録磁界の磁界勾配を確保すると共に隣接トラック消去の発生を抑制することが可能な垂直記録ヘッドとしては、単磁極と共に磁気制御用のシールドを併せて備えた垂直記録ヘッドが知られている（例えば、非特許文献１参照。）。この種の垂直記録ヘッドは、一般に、「単磁極型の垂直記録ヘッド」に対して、「シールド型の垂直記録ヘッド」と呼ばれている。ところが、単純に単磁極にシールドを併設しただけでは、面内磁界の磁界強度が増加する一方で、記録磁界のうちの重要な磁界成分である垂直磁界成分の磁界強度が減少するため、結局のところ、記録磁界の磁界強度が不十分となってしまう。このことから、シールド型の垂直記録ヘッドを設計する際には、上記した磁界勾配および隣接トラック消去だけでなく、オーバーライト能力も併せて考慮する必要がある。
【非特許文献１】エム．マラリー（M.Mallary ），エー．トラビ（A.Torabi），エム．ベナクリー（M.Benakly ），”ワン  テラビット  パー  スクウェア  インチ  パーペンディキュラー  レコーディング  コンセプチュアル  デザイン（One terabit per square inch perpendicular recording conceptual design ）”，アイイーイーイー  トランス．マグ．（IEEE Trans. Mag.），３８  Ｎｏ．４，１７１９−１７２４，２００２年  ７月
【０００７】
なお、シールド型の垂直記録ヘッドの構成に関しては、既にいくつかの技術が提案されている。具体的には、磁極にテーパを設ける技術が知られている（例えば、特許文献１参照。）。特に、磁極にテーパを設ける技術に関しては、イナムラ（Inamura ）により、先端にテーパが設けられた磁極部分が説明されていると共に（例えば、特許文献２参照。）、ハイム（Heim）等により、ヘッド磁界を増加させるために、テーパが設けられた磁極チップが教示されている（例えば、特許文献３参照。）。
【特許文献１】米国特許第５１７３８２１号明細書
【特許文献２】米国特許第５９９５３４３号明細書
【特許文献３】米国特許第５６００５１９号明細書
【０００８】
また、ダス（Das ）等により、記録磁極の周囲に設けられたサイドシールドが説明されている（例えば、特許文献４参照。）。
【特許文献４】米国特許第４９３５８３２号明細書
【発明の開示】
【発明が解決しようとする課題】
【０００９】
ところで、シールド型の垂直記録ヘッドの記録性能を向上させるためには、記録メディアに情報を安定に記録するために、記録磁界の磁界分布を改善する必要がある。より具体的には、記録磁界の磁界勾配を確保すると共に隣接トラック消去の発生を抑制し、さらにオーバーライト能力を併せて確保するために、記録磁界の磁界分布を適正に制御することが重要である。しかしながら、従来のシールド型の垂直記録ヘッドでは、上記したように、記録磁界（特に垂直磁界成分）の磁界強度が十分に得られないため、記録磁界の磁界分布を改善する観点において未だ改良の余地がある。このことから、シールド型の垂直記録ヘッドの記録性能を向上させるためには、記録磁界の磁界分布を改善することが可能な技術を確立する必要がある。この場合には、特に、隣接トラック消去の発生を十分に抑制するために、その隣接トラック消去を誘発するフリンジ磁界を可能な限り減少させることが可能な方法を確立することも重要である。
【００１０】
本発明はかかる問題点に鑑みてなされたもので、その第１の目的は、記録磁界の磁界分布を改善することが可能なシールドおよび垂直記録ヘッドを提供することにある。
【００１１】
また、本発明の第２の目的は、隣接トラック消去を誘発するフリンジ磁界の磁界強度を可能な限り減少させることが可能な垂直記録ヘッドのフリンジ磁界の減少方法を提供することにある。
【課題を解決するための手段】
【００１２】
本発明に係る垂直記録ヘッドのフリンジ磁界の減少方法は、エアベアリング面と、そのエアベアリング面から離れる方向において所定の長さに渡って延在すると共に第１の幅を有する記録磁極と、その記録磁極のリーディング側に配置されたリーディングシールドと、第２の幅を有するリターン磁極とを備えた垂直記録ヘッドにおいて生じるフリンジ磁界を減少させる方法であり、エアベアリング面から離れる方向において次第に厚さが大きくなるように記録磁極にテーパを設けるステップと、記録磁極からトレーリング側に第１の距離だけ離れた位置にエアベアリング面と同一面内に位置する底面を有すると共に記録磁極に対して左右対象に位置合わせされるようにトレーリングシールドを配置させるステップと、記録磁極のうちの２つの側面から側方にそれぞれ第２の距離だけ離れた位置にエアベリング面と同一面内に位置する底面を有すると共にトレーリングシールドに磁気的に連結され、かつ第２の幅に等しい幅を介して互いに離間された２つの側面を有すると共にそれぞれが記録磁極の長さよりも大きな幅を有するように一対のサイドシールドを配置させるステップとを含むものである。
【００１３】
本発明に係る垂直記録ヘッドのフリンジ磁界の減少方法では、テーパが設けられた記録磁極のリーディング側にリーディングシールドが配置されている場合に、その記録磁極のトレーリング側にトレーリングシールドが配置されると共に、記録磁極の側方にトレーリングシールドに磁気的に連結されるように一対のサイドシールドが配置される。この場合には、一対のサイドシールドのシールド機能に基づいて、フリンジ磁界の磁界強度が減少する。
【００１４】
本発明に係るシールドは、エアベアリング面と、そのエアベリング面から離れる方向において所定の長さに渡って延在すると共に第１の幅を有し、かつエアベアリング面から離れる方向において次第に厚さが大きくなるようにテーパが設けられた記録磁極と、その記録磁極のリーディング側に配置されたリーディングシールドと、第２の幅を有するリターン磁極とを備えた垂直記録ヘッドに適用されるものであり、記録磁極からトレーリング側に第１の距離だけ離れた位置に配置され、その記録磁極に対して左右対称に位置合わせされると共にエアベアリング面と同一面内に位置する底面を有するトレーリングシールドと、記録磁極のうちの２つの側面から側方にそれぞれ第２の距離だけ離れた位置に配置され、エアベアリング面と同一面内に位置する底面を有すると共にトレーリングシールドに磁気的に連結され、かつ第２の幅に等しい幅を介して互いに離間された２つの側面を有すると共にそれぞれが記録磁極の長さよりも大きな幅を有する一対のサイドシールドとを含むものである。
【００１５】
本発明に係るシールドでは、テーパが設けられた記録磁極のリーディング側にリーディングシールドが配置されている場合に、その記録磁極のトレーリング側に配置されたトレーリングシールドと共に、記録磁極の側方にトレーリングシールドに磁気的に連結されるように配置された一対のサイドシールドを併せて含んでいるため、それらのリーディングシールド、トレーリングシールドおよび一対のサイドシールドにより、記録磁極が四方から囲まれる。この場合には、リーディングシールド、トレーリングシールドおよび一対のサイドシールドのそれぞれのシールド機能に基づいて、記録磁界の磁界勾配が確保され、かつ隣接トラック消去の発生が抑制されると共に、記録磁極に設けられたテーパに基づいて、オーバーライト能力が確保される。
【００１６】
本発明に係る垂直記録ヘッドは、エアベアリング面と、そのエアベリング面から離れる方向において所定の長さに渡って延在すると共に第１の幅を有し、かつエアベアリング面から離れる方向において次第に厚さが大きくなるようにテーパが設けられた記録磁極と、その記録磁極のリーディング側に配置されたリーディングシールドと、第２の幅を有するリターン磁極と、記録磁極からトレーリング側に第１の距離だけ離れた位置に配置され、その記録磁極に対して左右対称に位置合わせされると共にエアベアリング面と同一面内に位置する底面を有するトレーリングシールドと、記録磁極のうちの２つの側面から側方にそれぞれ第２の距離だけ離れた位置に配置され、エアベアリング面と同一面内に位置する底面を有すると共にトレーリングシールドに磁気的に連結され、かつ第２の幅に等しい幅を介して互いに離間された２つの側面を有すると共にそれぞれが記録磁極の長さよりも大きな幅を有する一対のサイドシールドとを備えたものである。
【００１７】
本発明に係る垂直記録ヘッドでは、記録磁極を四方から囲むようにリーディングシールド、トレーリングシールドおよび一対のサイドシールドが配置されていると共に、その記録磁極にエアベアリング面から離れる方向において次第に厚さが大きくなるようにテーパが設けられているため、記録磁界の磁界分布が適正に制御される。より具体的には、第１に、記録磁極を四方から囲むようにリーディングシールド、トレーリングシールドおよび一対のサイドシールドが配置されていると、（１）リーディングシールドのシールド機能に基づいて、記録磁極からリーディング側に記録磁界が漏れることが抑制され、（２）トレーリングシールドのシールド機能に基づいて、記録磁界の磁界勾配が増大し、（３）一対のサイドシールドのシールド機能に基づいて、フリンジ磁界の磁界強度が減少するため、記録磁界の磁界勾配が確保されると共に、隣接トラック消去の発生が抑制される。また、第２に、記録磁極にテーパが設けられていると、エアベアリング面近傍におけるトレーリングエッジにおいて記録磁界の磁界勾配が増大すると共に、リーディングエッジにおいて記録磁界の拡散量が最小限となるため、オーバーライト能力が確保される。
【００１８】
本発明に係る垂直記録ヘッドのフリンジ磁界の減少方法またはシールドでは、一対のサイドシールドをリターン磁極にリーディングシールドを介して磁気的に連結させてもよい。
【００１９】
また、本発明に係る垂直記録ヘッドのフリンジ磁界の減少方法またはシールドでは、エアベアリング面における記録磁極の第１の幅を０．０５μｍ以上０．４μｍ以下の範囲内とし、リターン磁極の第２の幅を１０μｍ以上５０μｍ以下の範囲内とし、記録磁極とトレーリングシールドとの間の第１の距離を０．０２μｍ以上０．２μｍ以下の範囲内とし、トレーリングシールドの厚さを０．０５μｍ以上０．４μｍ以下の範囲内とし、記録磁極に設けたテーパの垂直線に対する角度を１５°以上６５°以下の範囲内としてもよい。
【００２０】
また、本発明に係る垂直記録ヘッドのフリンジ磁界の減少方法またはシールドでは、記録磁極のトレーリングエッジにテーパを設けてもよいし、あるいは記録磁極のリーディングエッジにテーパを設けてもよい。
【００２１】
また、本発明に係る垂直記録ヘッドのフリンジ磁界の減少方法またはシールドでは、一対のサイドシールドのうちの各サイドシールドの幅を０．２μｍ以上５μｍ以下の範囲内とし、一対のサイドシールドと記録磁極との間の第２の距離を０．０２μｍ以上０．２μｍ以下の範囲内とし、一対のサイドシールドとリーディングシールドとの間の距離を０．０５μｍ以上５μｍ以下の範囲内とし、一対のサイドシールドのうちの各サイドシールドの厚さを０．０５μｍ以上０．４μｍ以下の範囲内とし、リターン磁極の厚さを０．５μｍ以上５μｍ以下の範囲内とし、記録磁極の長さを０．１μｍ以上０．５μｍ以下の範囲内とし、一対のサイドシールドのうちの各サイドシールドの幅と記録磁極の長さとの間の差異を０．２μｍに至るようにしてもよい。
【発明の効果】
【００２２】
本発明に係る垂直記録ヘッドのフリンジ磁界の減少方法によれば、テーパが設けられた記録磁極のリーディング側にリーディングシールドが配置されている場合に、その記録磁極のトレーリング側にトレーリングシールドを配置させると共に、記録磁極の側方にトレーリングシールドに磁気的に連結されるように一対のサイドシールドを配置させたので、フリンジ磁界の磁界強度が減少する。したがって、隣接トラック消去を誘発するフリンジ磁界の磁界強度を可能な限り減少させることができる。
【００２３】
また、本発明に係るシールドによれば、テーパが設けられた記録磁極のリーディング側にリーディングシールドが配置されている場合に、その記録磁極のトレーリング側に配置されたトレーリングシールドと共に、記録磁極の側方にトレーリングシールドに磁気的に連結されるように配置された一対のサイドシールドを併せて含んでいるので、記録磁界の磁界勾配を確保すると共に隣接トラック消去の発生を抑制し、さらにオーバーライト能力を併せて確保する観点において、記録磁界の磁界分布が適正に制御される。したがって、記録磁界の磁界分布を改善することができる。
【００２４】
さらに、本発明に係る垂直記録ヘッドによれば、記録磁極を四方から囲むようにリーディングシールド、トレーリングシールドおよび一対のサイドシールドが配置されていると共に、その記録磁極にエアベアリング面から離れる方向において次第に厚さが大きくなるようにテーパが設けられているので、記録磁界の磁界勾配を確保すると共に隣接トラック消去の発生を抑制し、さらにオーバーライト能力を併せて確保する観点において、記録磁界の磁界分布が適正に制御される。したがって、記録磁界の磁界分布を改善することができる。
【発明を実施するための最良の形態】
【００２５】
以下、本発明の実施の形態について、図面を参照して詳細に説明する。
【００２６】
まず、図１および図２を参照して、本発明の一実施の形態に係る垂直記録ヘッドの構成について説明する。図１および図２は、本実施の形態に係る垂直記録ヘッドの構成を模式的に表しており、図１はＸＺ面に沿った断面構成を示し、図２はＹＺ面に沿った断面構成を示している。特に、図１では、垂直記録ヘッドの断面構成を拡大して示している。
【００２７】
以下では、説明を分かりやすくするために、下記のように記載表現を統一する。すなわち、図２を参照すると、記録メディア２０に近い側（図中の下側）を「前方」、その反対側（図中の上側）を「後方」とそれぞれ表記すると共に、記録メディア２０が垂直記録ヘッドに対して相対的に進行する側（図中の左側）を「トレーリング側」、その反対側（図中の右側）を「リーディング側」とそれぞれ表記する。また、図１および図２を参照すると、Ｘ軸方向の寸法を「幅」、Ｙ軸方向の寸法を「長さ」、Ｚ軸方向の寸法を「厚さ」とそれぞれ表記する。
【００２８】
なお、本発明の「垂直記録ヘッドのフリンジ磁界の減少方法」は、本実施の形態に係る垂直記録ヘッドの構成に基づいて実現されるものであると共に、本発明の「シールド」は、本実施の形態に係る垂直記録ヘッドの一部を構成するものであるため、それらの「垂直記録ヘッドのフリンジ磁界の減少方法」および「シールド」に関しては、以下で併せて説明する。
【００２９】
本実施の形態に係る垂直記録ヘッドは、図１および図２に示したように、記録メディア２０に垂直記録方式の磁気記録処理を施すことにより情報を記録するものであり、いわゆるシールド型の垂直記録ヘッドである。この垂直記録ヘッドは、主に、リターン磁極１１と、そのリターン磁極１１にヨーク１６を介して磁気的に連結された主磁極１４と、ヨーク１６を中心としてスパイラル状に巻回されたコイル１２と、リターン磁極１１、主磁極１４およびヨーク１６により囲まれた空間に埋設された絶縁層１７と共に、主磁極１４の周囲を部分的に四方から囲むように配置された一連のシールド（リーディングシールド１５，トレーリングシールド２１，一対のサイドシールド２２）を併せて備えている。
【００３０】
リターン磁極１１は、主磁極１４から放出された記録用の磁束を環流させるものである。より具体的には、リターン磁極１１は、記録メディア２０に供給されることにより記録処理に利用された記録用の磁束を環流させるための流路（いわゆるリターンパス）として機能するものである。このリターン磁極１１は、垂直記録ヘッドが記録メディア２０に対向する面、すなわちエアベアリング面（ＡＢＳ）１９から後方に向かって延在しており、主磁極１４のリーディング側に配置されている。特に、リターン磁極１１は、図１に示したように、幅Ｗ１１（第２の幅）を有していると共に、厚さＴ１１を有している。この幅Ｗ１１は、約１０μｍ〜５０μｍであり、厚さＴ１１は、約０．５μｍ〜５μｍである。
【００３１】
ヨーク１６は、リターン磁極１１と主磁極１４との間を磁気的に連結させるものであり、それらのリターン磁極１１と主磁極１４との間において後方に部分的に配置されている。
【００３２】
主磁極１４は、記録用の磁束を収容して放出するものである。この主磁極１４は、リターン磁極１１に対向しながらエアベアリング面１９から後方に向かって延在しており、前方（エアベアリング面１９に近い側の端部）に、記録用の磁束を放出することにより実質的に記録処理を担う記録磁極１３を含んでいる。特に、記録磁極１３は、図２に示したように、エアベアリング面１９から離れる方向において長さＬ１３に渡って延在していると共に、図１に示したように、幅Ｗ１３（第１の幅）を有している。この長さＬ１３は、約０．１μｍ〜０．５μｍであり、エアベアリング面１９における幅Ｗ１３は、約０．０５μｍ〜０．４μｍである。
【００３３】
この記録磁極１３では、例えば、図１および図２に示したように、一連のシールド（リーディングシールド１５，トレーリングシールド２１，一対のサイドシールド２２）により四方から囲まれている場合に、記録磁界の磁界強度を補填することにより、エアベアリング面１９近傍におけるトレーリング側の端縁（トレーリングエッジ１４ＥＴ）において記録磁界の磁界勾配を増大させると共に、リーディング側の端縁（リーディングエッジ１４ＥＬ）において記録磁界の拡散量を最小限とするために、そのリーディングエッジ１４ＥＬに、エアベアリング面１９から離れる方向において次第に厚さが大きくなるようにテーパＰが設けられている。この記録磁極１３に設けられたテーパＰの垂直線Ｓ（Ｙ軸に平行な線分）に対する角度（テーパ角度θ）、すなわちテーパＰのテーパ面と垂直線Ｓとの間の角度は、約１５°〜６５°である。
【００３４】
コイル１２は、記録用の磁束を発生させるものである。このコイル１２において発生した記録用の磁束は、主磁極１４の内部を前方（記録磁極１３）まで流れたのちに記録メディア２０に向けて放出されることにより、その記録メディア２０まで到達する（記録メディア２０にビットを記録する）ようになっている。
【００３５】
絶縁層１７は、コイル１２を周辺から電気的に分離するものである。特に、絶縁層１７は、図１に示したように、主磁極１４のうちの記録磁極１３を四方から囲むようにリーディングシールド１５、トレーリングシールド２１および一対のサイドシールド２２が配置されている場合に、それらのリーディングシールド１５、トレーリングシールド２１および一対のサイドシールド２２と記録磁極１３との間を埋め込むことにより、磁気的なギャップとして機能するようになっている。すなわち、絶縁層１７は、記録磁極１３とリーディングシールド１５との間においてギャップＧＬとして機能し、記録磁極１３とトレーリングシールド２１との間においてギャップＧＴとして機能し、記録磁極１３と一対のサイドシールド２２との間においてギャップＧＳとして機能する。
【００３６】
リーディングシールド１５は、主磁極１４のうちの記録磁極１３のリーディング側に配置されたシールドである。より具体的には、リーディングシールド１５は、記録磁極１３からリーディング側に磁界が漏れることを抑制すると共に、トレーリングシールド２１および一対のサイドシールド２２のシールド機能を確保するために、それらのトレーリングシールド２１および一対のサイドシールド２２とリターン磁極１１との間を磁気的に連結させるものである。このリーディングシールド１５は、図１および図２に示したように、リターン磁極１１から記録磁極１３に向かってエアベアリング面１９に沿って延在しており、そのリターン磁極１１に磁気的に連結されていると共に記録磁極１３からギャップＧＬを介して離間されている。このギャップＧＬにより規定される距離ＤＧＬ、すなわち記録磁極１３とリーディングシールド１５との間の間隔は、ギャップＧＴにより規定される距離ＤＧＴおよびギャップＧＳにより規定される距離ＤＧＳよりも十分に大きくなるように設定されている。これにより、ギャップＧＬの存在に起因して損失する記録磁界の磁界強度は、無視してもよい。
【００３７】
トレーリングシールド２１は、主磁極１４のうちの記録磁極１３のトレーリング側に配置されたシールドである。より具体的には、トレーリングシールド２１は、垂直記録ヘッドを高線記録密度用途に適用するために、記録磁界の磁界勾配を増大させるものである。このトレーリングシールド２１は、図１および図２に示したように、記録磁極１３のトレーリング側に距離ＤＧＴ（第１の距離）だけ離れた位置に配置され、その記録磁極１３に対して左右対象に位置合わせされていると共に、エアベアリング面１９と同一面内に位置する底面２１ＢＭを有している。この距離ＤＧＴは、ギャップＧＴにより規定される距離、すなわち記録磁極１３とトレーリングシールド２１との間の間隔であり、約０．０２μｍ〜０．２μｍである。特に、トレーリングシールド２１は、図１に示したように、そのトレーリングシールド２１の存在に起因して損失する記録磁界の磁界強度（いわゆる磁界ロス）を小さくすることが可能な薄い厚さＴ２１を有している。この厚さＴ２１は、約０．０５μｍ〜０．４μｍである。
【００３８】
一対のサイドシールド２２は、主磁極１４のうちの記録磁極１３の側方に配置されたシールドである。より具体的には、一対のサイドシールド２２は、記録メディア２０に到達するフリンジ磁界（いわゆるサイドフリンジ磁界）の磁界強度を減少させることにより、隣接トラック消去が発生することを抑制するものである。この一対のサイドシールド２２は、図１および図２に示したように、記録磁極１３のうちの２つの側面１３ＳＭから側方にそれぞれ距離ＤＧＳ（第２の距離）だけ離れた位置に配置され、エアベアリング面１９と同一面内に位置する底面２２ＢＭを有すると共にトレーリングシールド２１に磁気的に連結され、かつリターン磁極１１の幅Ｗ１１に等しい幅を介して互いに離間された２つの側面２２ＳＭを有すると共に各サイドシールド２２が記録磁極１３の長さＬ１３よりも大きな幅Ｗ２２を有している（Ｗ２２＞Ｌ１３）。この距離ＤＧＳは、ギャップＧＳにより規定される距離、すなわち記録磁極１３と一対のサイドシールド２２との間の間隔であり、約０．０２μｍ〜０．２μｍである。特に、各サイドシールド２２は、図１に示したように、そのサイドシールド２２の存在に起因して損失する記録磁界の磁界強度（いわゆる磁界ロス）を小さくすることが可能な薄い厚さＴ２２を有している。この幅Ｗ２２は、約０．２μｍ〜５μｍであり、厚さＴ２２は、約０．０５μｍ〜０．４μｍである。なお、各サイドシールド２２の幅Ｗ２２と記録磁極１３の長さＬ１３との間の差異は、約０．２μｍに至っている。
【００３９】
この一対のサイドシールド２２は、例えば、図１に示したように、一対のコネクタ２３を介してリーディングシールド１５に磁気的に連結されることにより、そのリーディングシールド１５を介してリターン磁極１１に磁気的に連結されている。この一対のサイドシールド２２とリーディングシールド１５との間の距離Ｄ２３、すなわち一対のサイドシールド２２とリーディングシールド１５との間に配置されたコネクタ２３の厚さは、約０．０５μｍ〜５μｍである。
【００４０】
なお、記録メディア２０は、垂直記録ヘッドにより情報が磁気的に記録される記録媒体である。この記録メディア２０は、図２では詳細に示していないが、図９を参照して説明した記録メディア１２０と同様に、磁気的な軟下地層上に、高保持力を有する記録層が設けられた積層構造を含んでいる。
【００４１】
この垂直記録ヘッドでは、情報の記録時において、エアベアリング面１９が記録メディア２０に近接して対向された状態において、その記録メディア２０の表面に沿って平行に移動する。この状態において、図示しない外部回路からコイル１２に電流が流れると、そのコイル１２において記録用の磁束が発生する。このとき発生した磁束は、主磁極１４に収容されたのち、その主磁極１４の内部を記録磁極１３まで流れることにより、エアベアリング面１９においてトレーリングエッジ１４ＥＴ近傍に集中する。このトレーリングエッジ１４ＥＴ近傍に集中した磁束が外部に放出されることにより、記録メディア２０の表面と直交する方向に記録用の磁界（記録磁界）が発生すると、その記録磁界により記録メディア２０が磁化されるため、記録メディア２０に情報が磁気的に記録される。この情報の記録時には、主磁極１４から放出された記録用の磁束が記録メディア２０のうちの軟下地層を経由してリターン磁極１１に環流されるため、その垂直記録ヘッドと記録メディア２０との間において磁気回路が構築される。
【００４２】
本実施の形態に係る垂直記録ヘッドでは、主磁極１４のうちの記録磁極１３を四方から囲むようにリーディングシールド１５、トレーリングシールド２１および一対のサイドシールド２２が配置されていると共に、その記録磁極１３のリーディングエッジ１４ＥＬにテーパＰが設けられているので、記録磁界の磁界分布が適正に制御される。より具体的には、第１に、記録磁極１３を四方から囲むようにリーディングシールド１５、トレーリングシールド２１および一対のサイドシールド２２が配置されていると、上記したように、（１）リーディングシールド１５のシールド機能に基づいて、記録磁極１３からリーディング側に記録磁界が漏れることが抑制され、（２）トレーリングシールド２１のシールド機能に基づいて、記録磁界の磁界勾配が増大し、（３）一対のサイドシールド２２のシールド機能に基づいて、フリンジ磁界の磁界強度が減少するため、記録磁界の磁界勾配が確保されると共に、隣接トラック消去の発生が抑制される。また、第２に、記録磁極１３のリーディングエッジ１４ＥＬにテーパＰが設けられていると、上記したように、エアベアリング面１９近傍におけるトレーリングエッジ１４ＥＴにおいて記録磁界の磁界勾配が増大すると共に、リーディングエッジ１４ＥＬにおいて記録磁界の拡散量が最小限となるため、オーバーライト能力が確保される。したがって、記録磁界の磁界勾配を確保すると共に隣接トラック消去の発生を抑制し、さらにオーバーライト能力を併せて確保する観点において、上記したように、記録磁界の磁界分布が適正に制御されるため、記録磁界の磁界分布を改善することができる。
【００４３】
また、本実施の形態に係るシールドでは、リーディングエッジ１４ＥＬにテーパが設けられた記録磁極１３のリーディング側にリーディングシールド１５が配置されている場合に、その記録磁極１３のトレーリング側に配置されたトレーリングシールド２１と共に、記録磁極１３の側方にトレーリングシールド２１に磁気的に連結されるように配置された一対のサイドシールド２２を併せて含んでいるので、それらのリーディングシールド１５、トレーリングシールド２１および一対のサイドシールド２２により、記録磁極１３が四方から囲まれる。この場合には、上記したように、リーディングシールド１５、トレーリングシールド２１および一対のサイドシールド２２のそれぞれのシールド機能に基づいて、記録磁界の磁界勾配が確保され、かつ隣接トラック消去の発生が抑制されると共に、記録磁極１３のリーディングエッジ１４ＥＬに設けられたテーパＰに基づいて、オーバーライト能力が確保される。したがって、記録磁界の磁界勾配を確保すると共に隣接トラック消去の発生を抑制し、さらにオーバーライト能力を併せて確保する観点において、記録磁界の磁界分布が適正に制御されるため、記録磁界の磁界分布を改善することができる。
【００４４】
さらに、本実施の形態に係る垂直記録ヘッドのフリンジ磁界の減少方法では、リーディングエッジ１４ＥＬにテーパが設けられた記録磁極１３のリーディング側にリーディングシールド１５が配置されている場合に、その記録磁極１３のトレーリング側にトレーリングシールド２１を配置させると共に、記録磁極１３の側方にトレーリングシールド２１に磁気的に連結されるように一対のサイドシールド２２を配置させたので、上記したように、フリンジ磁界の磁界強度が減少する。したがって、隣接トラック消去を誘発するフリンジ磁界の磁界強度を可能な限り減少させることができる。
【００４５】
なお、本実施の形態では、図１に示したように、一対のサイドシールド２２とリーディングシールド１５との間にコネクタ２３を設け、そのコネクタ２３を介して一対のサイドシールド２２がリーディングシールド１５に磁気的に連結されるようにしたが、必ずしもこれに限られるものではない。具体的には、例えば、図１に対応する図３に示したように、一対のサイドシールド２２とリーディングシールド１５との間にコネクタ２３を設けず、その一対のサイドシールド２２がリーディングシールド１５から磁気的に分離されるようにしてもよい。この場合においても、一対のサイドシールド２２が図１に示した場合とほぼ同様にシールドとして機能し得るため、上記実施の形態と同様の効果を得ることができる。なお、図３に示した垂直記録ヘッドに関する上記以外の構成は、図１に示した場合と同様である。
【００４６】
また、本実施の形態では、図２に示したように、記録磁極１３のリーディングエッジ１４ＥＬにテーパＰを設けるようにしたが、必ずしもこれに限られるものではなく、例えば、図２に対応する図４に示したように、記録磁極１３のトレーリングエッジ１４ＥＴにテーパＰを設けるようにしてもよい。この場合においても、記録磁極１３に設けられたテーパＰに基づいて、図２に示した場合と同様にオーバーライト能力が確保されるため、上記実施の形態と同様の効果を得ることができる。なお、図４に示した垂直記録ヘッドに関する上記以外の構成は、図２に示した場合と同様である。
【実施例】
【００４７】
次に、本発明に関する実施例について説明する。
【００４８】
上記実施の形態において説明した垂直記録ヘッド（図１および図２参照；以下、単に「本発明の垂直記録ヘッド」という。）の記録性能を調べたところ、以下の結果が得られた。
【００４９】
まず、本発明の垂直記録ヘッドに関する記録磁界の磁界分布を調べたところ、図７に示した結果が得られた。図７は、本発明の垂直記録ヘッドに関する記録磁界の磁界分布を表しており、「横軸」はクロストラックポジション（×１０ｎｍ）を示し、「縦軸」はダウントラックポジション（×２０ｎｍ）を示している。この図７では、記録磁界の磁界分布を表すために、同等の磁界強度を有する範囲を１つの線分でつないでおり、いわゆる磁界強度の等高線を示している。この本発明の垂直記録ヘッドに関する記録磁界の磁界分布を調べる際には、各部の寸法として、記録磁極１３のテーパ角度θ＝３０°，距離ＤＧＬ＝３００ｎｍ（＝０．３μｍ），距離ＤＧＴ＝５０ｎｍ（＝０．０５μｍ），距離ＤＧＳ＝１００ｎｍ（＝０．１μｍ），リーディングシールド１５の厚さＴ１５＝０．３μｍ，トレーリングシールド２１の厚さＴ２１＝０．１μｍ，一対のサイドシールド２２の厚さＴ２２＝０．１μｍ，垂直記録ヘッド（エアベアリング面１９）と記録メディア２０（軟下地層）との間の距離＝５０ｎｍとした。
【００５０】
なお、本発明の垂直記録ヘッドに関する記録磁界の磁界分布を調べる際には、その磁界分布を比較評価するために、２つの比較例の垂直記録ヘッドに関する記録磁界の磁界分布も同様に調べた。すなわち、リーディングシールド１５のみを備え、トレーリングシールド２１および一対のサイドシールド２２を備えていない点を除き、本発明の垂直記録ヘッドと同様の構成を有する垂直記録ヘッド（以下、単に「第１の比較例の垂直記録ヘッド」という。）の磁界分布に関しては、図７に対応する図５に示した。また、リーディングシールド１５と共にトレーリングシールド２１を併せて備え、一対のサイドシールド２２を備えていない点を除き、本発明の垂直記録ヘッドと同様の構成を有する垂直記録ヘッド（以下、単に「第２の比較例の垂直記録ヘッド」という。）の磁界分布に関しては、図７に対応する図６に示した。
【００５１】
図５〜図７に示した結果から判るように、第１の比較例（図５）、第２の比較例（図６）および本発明（図７）の垂直記録ヘッドでは、いずれにおいても同様の磁界分布が見られ、すなわち記録磁極１３に対応する位置において磁界強度が最大になると共に、その位置から周囲に離れるにしたがって次第に磁界強度が減少した。しかしながら、第１の比較例、第２の比較例および本発明の垂直記録ヘッドの間において記録磁界の磁界分布を比較すると、本発明の垂直記録ヘッドでは、第１の比較例および第２の比較例の垂直記録ヘッドと比較して、トレーリングエッジ１４ＥＴ近傍において等高線の間隔が狭まり、すなわちダウントラック方向において記録磁界の磁界勾配が増大したと共に、クロストラック方向において記録磁界の分布範囲が狭まり、すなわちフリンジ磁界の磁界強度が減少した。このことから、本発明の垂直記録ヘッドでは、記録磁極１３のトレーリング側にトレーリングシールド２１を配置させることにより、記録磁界の磁界勾配を確保可能であると共に、記録磁極１３の側方に一対のサイドシールド２２を配置させることにより、隣接トラック消去の発生を抑制可能であることが確認された。
【００５２】
続いて、本発明の垂直記録ヘッドに関する記録磁界の磁界強度を調べたところ、図８に示した結果が得られた。図８は、本発明の垂直記録ヘッドに関する記録磁界の磁界強度を表しており、「横軸」はダウントラックポジション（μｍ）を示し、「縦軸」は記録磁界の磁界強度（Ｔ）を示している。この本発明の垂直記録ヘッドに関する記録磁界の磁界強度を調べる際には、図７を参照して説明した場合と同様に、記録磁極１３のテーパ角度θに代表される各部の寸法を設定した。なお、本発明の垂直記録ヘッドに関する記録磁界の磁界強度を調べる際には、その磁界強度を比較評価するために、記録磁極１３にテーパＰが設けられていない点を除き、本発明の垂直記録ヘッドと同様の構成を有する垂直記録ヘッド（以下、単に「比較例の垂直記録ヘッド」という。）の磁界強度も同様に調べた。図８に示した「８１（破線）」は、比較例の垂直記録ヘッドに関する結果を示し、「８２（実線）」は本発明の垂直記録ヘッドに関する結果を示している。
【００５３】
図８に示した結果から判るように、比較例（８１）および本発明（８２）の垂直記録ヘッドでは、いずれにおいても同様の磁界分布が見られ、すなわち記録磁極１３に対応する位置において磁界強度が最大になると共に、その位置から離れるにしたがって次第に磁界強度が減少した。しかしながら、比較例および本発明の垂直記録ヘッドの間において記録磁界の磁界強度を比較すると、本発明の垂直記録ヘッドでは、比較例の垂直記録ヘッドと比較して、磁界強度の最大値が１５００×１０3 ／（４π）Ａ／ｍ（＝１５００Ｏｅ）程度増加した。このことから、本発明の垂直記録ヘッドでは、記録磁極１３にテーパＰを設けることにより、オーバーライト能力を確保可能であることが確認された。
【００５４】
以上、実施の形態および実施例を挙げて本発明を説明したが、本発明は上記実施の形態および実施例に限定されず、種々の変形が可能である。具体的には、本発明に係る垂直記録ヘッドのサイドフリンジ磁界の減少方法、シールド、ならびに垂直記録ヘッドに関する手順および構成は、必ずしも上記実施の形態および実施例において説明した態様に限られず、記録磁極を四方から囲むようにリーディングシールド、トレーリングシールドおよび一対のサイドシールドを配置させると共に、その記録磁極にテーパを設けることにより、記録磁界の磁界分布を改善することが可能な限り、自由に変更可能である。
【産業上の利用可能性】
【００５５】
本発明に係る垂直記録ヘッドのフリンジ磁界の減少方法およびシールドは、垂直記録方式の磁気記録処理を実行する垂直記録ヘッドに適用することが可能である。
【図面の簡単な説明】
【００５６】
【図１】本発明の一実施の形態に係る垂直記録ヘッドのＸＺ面に沿った断面構成を模式的に表す断面図である。
【図２】本発明の一実施の形態に係る垂直記録ヘッドのＹＺ面に沿った断面構成を模式的に表す断面図である。
【図３】本発明の一実施の形態に係る垂直記録ヘッドの構成に関する変形例を表す断面図である。
【図４】本発明の一実施の形態に係る垂直記録ヘッドの構成に関する他の変形例を表す断面図である。
【図５】第１の比較例の垂直記録ヘッドに関する記録磁界の磁界分布を表す図である。
【図６】第２の比較例の垂直記録ヘッドに関する記録磁界の磁界分布を表す図である。
【図７】本発明の垂直記録ヘッドに関する記録磁界の磁界分布を表す図である。
【図８】本発明および比較例の垂直記録ヘッドに関する記録磁界の磁界強度を表す図である。
【図９】従来の垂直記録ヘッドのＹＺ面に沿った断面構成を模式的に表す断面図である。
【符号の説明】
【００５７】
１１…リターン磁極、１２…コイル、１３…記録磁極、１３ＳＭ，２２ＳＭ…側面、１４…主磁極、１４ＥＬ…リーディングエッジ、１４ＥＴ…トレーリングエッジ、１５…リーディングシールド、１６…ヨーク、１７…絶縁層、１９…エアベアリング面、２０…記録メディア、２１…トレーリングシールド、２１ＢＭ，２２ＢＭ…底面、２２…サイドシールド、２３…コネクタ、Ｄ２３，ＤＧＬ，ＤＧＳ，ＤＧＴ…距離、ＧＬ，ＧＳ，ＧＴ…ギャップ、Ｌ１３…長さ、Ｐ…テーパ、Ｓ…垂直線、Ｔ１１，Ｔ１５，Ｔ２１，Ｔ２２…厚さ、Ｗ１１，Ｗ２２…幅、θ…テーパ角度。
【図１】
2005310363.tif 000003
【図２】
2005310363.tif 000004
【図３】
2005310363.tif 000005
【図４】
2005310363.tif 000006
【図５】
2005310363.tif 000007
【図６】
2005310363.tif 000008
【図７】
2005310363.tif 000009
【図８】
2005310363.tif 000010
【図９】
2005310363.tif 000011